(57)【要約】【課題】非表示時はスッキリとしたデザインを確保でき、表示時は視認性および認知性に優れた表示装置を備えた電気機器を提供する。【解決手段】電気機器の筺体１０の表面に難透視処理されたカバー２０を取り付け、該カバー２０の背面側に表示室３１を設け、該表示室３１内に該表示室３１の奥壁のほぼ中央部から一部がカバー２０に正対して突出する導光体４０を配置し、該導光体４０の突出する部分と反対側にＬＥＤ６０を配置し、且つ前記表示室３１の左右の壁面３１ａを前記カバー２０側に向けて拡開するよう階段状に形成した表示装置を備える。【選択図】図１
2010224339.tif 000002
【特許請求の範囲】
【請求項１】
電気機器の筺体の表面に難透視処理されたカバーを取り付け、該カバーの背面側に表示室を設け、該表示室内に該表示室の奥壁のほぼ中央部から一部が前記カバーに正対して突出する導光体を配置し、該導光体の前記突出する部分と反対側に光源を配置し、且つ前記表示室の内壁の少なくとも一部を前記カバー側に向けて拡開するように階段状に形成した表示装置を備えることを特徴とする電気機器。
【請求項２】
請求項１に記載の電気機器において、
前記表示室は、前記階段状のステップ面の奥側が角側よりも前記カバーから遠ざかっていることを特徴とする電気機器。
【請求項３】
請求項１又は２に記載の電気機器において、
前記表示室は、前記階段状のステップ面の角側に前記カバーの方向に突出する遮光リブが形成されていることを特徴とする電気機器。
【発明の詳細な説明】
【技術分野】
【０００１】
本発明は、表示装置を備える電気機器に関するものである。
【背景技術】
【０００２】
図６（ａ）に従来の電気機器の表示装置を示す。この表示装置は、電気機器の筺体１１０に形成した開口１１１の背面から、光散乱物質が配合された導光体１２０を、その先端が前面に突出するよう挿入し、その筺体１１０背面に位置するＬＥＤホルダ１３０により、回路基板１４０に取り付けたＬＥＤ１５０を、導光体１２０の背面に対向するように保持したものである。
【０００３】
この表示装置では、ＬＥＤ１５０を点灯させると、そこで発生した光は、ＬＥＤホルダ１３０によって周囲への光漏れが防止され、導光体１２０に入射する。これにより、その光は導光体１２０の内部で乱反射して拡散され、その導光体１２０の先端が光っているように見える。
【０００４】
したがって、例えば、導光体１２０を図６（ａ）の紙面に垂直方向に長く形成し、ＬＥＤ１５０を紙面に垂直方向に複数個並べて配置しておけば、現在の電気機器の動作、パワーセーブ状態等を、連続した線を表面に垂直方向に伸縮する形態として表示させることができる。
【０００５】
図６（ｂ）はＬＥＤホルダ１３０を無くして筺体１１０の裏面にＬＥＤホルダ部１１２を一体的に設けた別の従来例である。この図６（ａ）、（ｂ）に記載したような表示装置は、例えば特許文献１に記載されている。
【先行技術文献】
【特許文献】
【０００６】
【特許文献１】特開２００２−１４９０９８号公報
【発明の概要】
【発明が解決しようとする課題】
【０００７】
ところが、図６に記載の表示装置は、ＬＥＤ１５０を消灯して表示を行わない場合であっても導光体１２０の先端が筺体１１０の前面よりも突出して目立ち、スッキリとしたデザインとならず美観を損なう問題がある。また、導光体１２０が突出していることで照明環境が暗いときの視認性は高いが、明るいときは周囲の光を直接受けるため点灯が視認しづらくなる問題がある。
【０００８】
本発明は以上のような点に鑑みてなされたもので、その目的は、非表示時はスッキリとしたデザインを確保でき、表示時は視認性および認知性に優れた表示装置を備えた電気機器を提供することである。
【課題を解決するための手段】
【０００９】
上記目的を達成するために、請求項１にかかる発明は、電気機器の筺体の表面に難透視処理されたカバーを取り付け、該カバーの背面側に表示室を設け、該表示室内に該表示室の奥壁のほぼ中央部から一部が前記カバーに正対して突出する導光体を配置し、該導光体の前記突出する部分と反対側に光源を配置し、且つ前記表示室の内壁の少なくとも一部を前記カバー側に向けて拡開するように階段状に形成した表示装置を備えることを特徴とする。
【００１０】
請求項２にかかる発明は、請求項１に記載の電気機器において、前記表示室は、前記階段状のステップ面の奥側が角側よりも前記カバーから遠ざかっていることを特徴とする。
【００１１】
請求項３にかかる発明は、請求項１又は２に記載の電気機器において、前記表示室は、前記階段状ステップ面の角側に前記カバーの方向に突出する遮光リブが形成されていることを特徴とする。
【発明の効果】
【００１２】
本発明によれば、光源が消灯しているときは導光体が外部から見えず、スッキリとしたデザインを確保できる。また、光源が点灯したときは導光体が光って浮かび上がるとともに表示室の内壁が縞模様を呈するので、表示／非表示の区別が明確となり、視認性および認知性に優れた表示が行われるばかりか、表示自体が新鮮な印象を与え、さらにパワー表示等に迫力を与えることができる。
【図面の簡単な説明】
【００１３】
【図１】（ａ）は本発明の実施例の表示装置のカバーを外した正面図、（ｂ）は縦断面図、（ｃ）は横断面図である。
【図２】（ａ）は本発明の実施例の表示装置の消灯時の外観斜視図、（ｂ）は点灯時の外観斜視図である。
【図３】本発明の実施例の改変例の表示装置の消灯時の外観正面図である。
【図４】本発明の実施例の表示装置を適用した空気調和機の室内機の斜視図である。
【図５】本発明の実施例の別の改変例の表示装置の横断面図である。
【図６】（ａ）は従来の表示装置の縦断面図、（ｂ）は別の従来の表示装置の縦断面図である。
【発明を実施するための形態】
【００１４】
図１（ａ）〜（ｃ）に本発明の実施例の表示装置を示す。１０は電気機器の筺体であり、その正面の一部に開口１１が形成され、その開口１１はカバー２０によって覆われている。このカバー２０は、ハーフミラー又はスモーク色の樹脂材等によって表面から内部が見え難いよう難透視処理され、表面は筺体１０の表面と同一面となっている。３０は表示室３１と光源室３２が隔壁３３によって区画された遮光性樹脂で成形されたホルダ、４０はそのホルダ３０の隔壁３３に挿通された導光体、５０はホルダ３０の背面に取り付けられる回路基板、６０はその回路基板５０に導光体４０に対向するよう取り付けられる光源としてのＬＥＤである。
【００１５】
表示室３１は、左右の壁面３１ａがカバー２０の側が拡開するように階段形状となっている。この階段形状の壁面３１ａは階段のステップ面３１ｂの角部３１ｂ１よりも奥部３１ｂ２がカバー２０から遠ざかるように低くなっている。なお、壁面３１ａの縦面３１ｃは、垂直ではなく、ステップ面３１ｂがより広くなるように外側にオーバーハングしていても良い。また、表示室３１の上下の壁面３１ｄは、塗装あるいは暗色部品等によって暗色処理が施され、左右の側壁３１ａと異なって、光が反射し難いようになっている。
【００１６】
導光体４０は、光散乱物質が配合された樹脂材あるいは透明樹脂材で板形状に成形され、先端部中央が長手方向（縦方向）に沿って山高形状（刃形状）となり、中央の周囲に鍔４１が形成され、奥端面は平面となってＬＥＤ６０に正対している。つまり、導光体４０は、表示室３１内に該表示室３１の奥壁のほぼ中央部から一部がカバー２０に正対して突出している。導光体４０の先端部高さ（突出高さ）は、後記するように、壁面３１ａに影を生じさせながらその壁面３１ａを照らせるような高さが好ましい。そして、鍔４１よりも先端部（図１（ｃ）の上側）の全表面に微細凹凸によるシボ加工が施されており、その鍔４１が隔壁３３に形成された開口３３ａでストップするまで、奥側から挿入されている。この表示装置は、図４（ａ）に示す空気調和機の室内機７０に適用する場合には、その正面の表示部８０の表示装置として組み込まれる。
【００１７】
本実施例の表示装置では、ＬＥＤ６０が消灯しているときは、カバー２０が難透視処理されているので、外部から表示室３１および導光体４０は見えず、図２（ａ）に示すようになり、スッキリとしたデザインを確保できるとともに、カバー２０の表面が電気機器の筺体１０の表面と同一面であるので、汚れにくく清掃性が良好ともなる。
【００１８】
一方、３個のＬＥＤ６０が点灯すると、導光体４０の背面がほぼ均等に照明され、導光体４０の先端部から光が放射される。ハーフミラー又はスモーク色の樹脂材等のカバー２０は中からの光を透過するため、外部から視認可能となる。しかも、その導光体４０は、光散乱物質が配合された樹脂材あるいは透明樹脂材で成形され、先端部の全表面にシボ加工が施されているので、その先端全表面が高輝度で光るようになる。このとき、その導光体４０の先端部から出射される光は、図１（ｃ）に示すように、表示室３１の左右の壁面３１ａの縦面３１ｃで反射されてカバー２０の方向に放射される。またこのとき、角部３１ｂ１よりも低くなっている奥部３１ｂ２は、角部３１ｂ１により遮光されるため、奥部３１ｂ２に達する光は弱く影部分となる。よって、図２（ｂ）に示すように、表示室３１の左右の縦面３１ｃが明るい縦縞模様として浮かび上がる。中央で立体的に浮かび上がってくるように見える高輝度で光る導光体４０とともに、カバー２０に向かって階段状に左右の壁面が縞模様に光ることで、光が周囲に広がっていくように見え、例えば、パワー表示などに迫力ある効果をもたらす。これにより、表示／非表示の区別が明確となり、視認性および認知性に優れた表示が行われるばかりか、表示自体が新鮮な印象を与える。
【００１９】
なお、図１で説明した表示室３１は、左右の壁面３１ａのみを、カバー２０の側に向けて拡開するよう階段状に形成した場合であったが、表示室３１の上下の壁面３１ｄにもカバー２０の側に向けて拡開するよう階段状に形成してもよい（図示せず）。この場合は、この壁面３１ｄの階段状の各面に塗装あるいは暗色部品等によって暗色処理を施しておくことにより、ＬＥＤ６０を点灯させたとき、図３に示すように、上下の階段が濃淡で現れ、奥行きがあり、且つ光が上下方向にも広がって見える表示形態を実現できる。ＬＥＤ６０を消灯させたときは、図２（ａ）と同様に、外部から表示室３１および導光体４０は見えない。
【００２０】
また、図１で説明した表示室３１は、左右の壁面３１ａの階段状のステップ面３１ｂの角部３１ｂ１はそのままほぼ９０度の角形状としたが、図５に示すように、その角部３１ｂ１をカバー２０の方向に突出する遮光リブ３１ｂ３に変形すれば、導光体４０から出射する光がその遮光リブ３１ｂ３で遮光されてステップ面３１ｂの奥に届き難くなるので、図２（ｂ）と同様な縦縞模様を浮かび上がらせることができる。
【００２１】
また、図１ではホルダ３０を独立して形成し、これを筺体１０の裏面に取り付ける構成としたが、筺体１０と一体構造でホルダ３０を形成してもよい。また、図４（ｂ）に示すように、表示室３１を有するホルダ３０を独立した筺体１０ｂとして、取り付けるようにしてもよい。
【００２２】
また、図１ではＬＥＤ６０の数を３個としたが、導光体４０が短い場合は１個であってもよく、導光体４０が長い場合は３個以上を配置していもよい。
【００２３】
また、図４（ａ）に示すように、表示部８０のカバー２０の表面にマークやブランド名を刻印２１してもよい。この場合は非点灯時にも空気調和機７０に立体的なデザイン処理により高級感を与えることができ、点灯時は背面からの光が透過することで、点灯表示に影響を与えることはない。
【符号の説明】
【００２４】
１０、１０ｂ：電気機器の筺体、１１：開口
２０：カバー、２１：刻印
３０：ホルダ、３１：表示室、３１ａ：左右の壁面、３１ｂ：ステップ面、３１ｂ１：角部、３１ｂ２：奥部、３１ｂ３：遮光リブ、３１ｃ：縦面、３１ｄ：上下の壁面、３２：光源室、３３：隔壁、３３ａ：開口
４０：導光体、４１：鍔
５０：回路基板
６０：ＬＥＤ
７０：空気調和機の室内機
８０：表示部
１１０：電気機器の筺体、１１１：開口、１１２：ＬＥＤホルダ部
１２０：導光体
１３０：ＬＥＤホルダ
１４０：回路基板
１５０：ＬＥＤ
【図１】
2010224339.tif 000003
【図２】
2010224339.tif 000004
【図３】
2010224339.tif 000005
【図４】
2010224339.tif 000006
【図５】
2010224339.tif 000007
【図６】
2010224339.tif 000008